(57)【要約】【課題】  小型の複合プリンタ装置を提供する。【解決手段】  複合プリンタ装置は、トップハウジング１６と、トップハウジング１６の内部に配置された原稿読取りセンサとを備える。複合プリンタ装置は、液晶表示パネル４を備える。トップハウジング１６は、液晶表示パネル４を内部に収容するための収容部を有する。収容部は、原稿読取りセンサの移動経路の下側に配置されている。収容部は、外部と連通するように配置されている。液晶表示パネル４は、支持部材５を介してトップハウジング１６に支持されている。支持部材５は、収容部に対して液晶液晶表示パネル４の出し入れが可能に形成されている。【選択図】        図４
2007045063.tif 000002
【特許請求の範囲】
【請求項１】
原稿読取りセンサと、
前記原稿読取りセンサを移動可能に支持するためのシャフトと、
前記原稿読取りセンサの上側に配置され、原稿を載置するためのガラス板と、
前記ガラス板および前記シャフトを支持するためのトップハウジングと、
前記トップハウジングに支持部材を介して支持された液晶表示パネルと
を備え、
前記液晶表示パネルは、板状に形成され、
前記トップハウジングは、前記液晶表示パネルを略水平な状態で収容可能に形成された収容部を有し、
前記収容部は、前記原稿読取りセンサの移動経路の下側に配置され、
前記収容部は、外部と連通するように配置され、
前記支持部材は、前記収容部に対して前記液晶表示パネルの出し入れが可能に形成され、
前記支持部材は、前記液晶表示パネルを出したときに、前記液晶表示パネルが上部の幅方向を軸に回動して、表示面が略前側を向くように形成された、複合プリンタ装置。
【請求項２】
筐体と、
前記筐体の内部に配置された原稿読取りセンサと、
表示パネルと
を備え、
前記筐体は、前記表示パネルを内部に収容するための収容部を有し、
前記収容部は、前記原稿読取りセンサの移動経路の下側に配置され、
前記収容部は、外部と連通するように配置され、
前記表示パネルは、支持部材を介して前記筐体に支持され、
前記支持部材は、前記収容部に対して前記液晶表示パネルの出し入れが可能に形成された、複合プリンタ装置。
【請求項３】
前記表示パネルは、前記複合プリンタ装置の操作を行なうための操作部を有する、請求項２に記載の複合プリンタ装置。
【請求項４】
前記表示パネルは、タッチパネル方式が採用され、
前記表示パネルは、前記複合プリンタ装置を駆動するための信号を発信可能に形成された、請求項２に記載の複合プリンタ装置。
【発明の詳細な説明】
【技術分野】
【０００１】
本発明は、複合プリンタ装置に関する。
【背景技術】
【０００２】
複合プリンタ装置は、被印刷物に印刷を行なう印刷機能に加えて、メモリカードの情報を読取る機能や、画像や文字などを電子データとして読込むスキャナ機能などを有する。
【０００３】
スキャナ機構は、原稿の画像や文字などを読取るための原稿読取りセンサを備える。原稿読取りセンサは、長手方向を有するように形成されている。原稿読取りセンサは、長手方向に垂直な方向に平行移動するように形成されている。
【０００４】
原稿読取りセンサは、一定の方向に移動しながら、光源の光を原稿に照射して画像などを読取る機能を有する。スキャナ機構は、一の方向に原稿読取りセンサを走査しながら、画像などの情報を読取るように形成されている。原稿読取りセンサは、ＣＣＤ（Charge Coupled Device）センサまたはＣＩＳ（Contact Image Sensor）などを含む。
【０００５】
図７に、従来の技術に基づく複合プリンタ装置の概略斜視図を示す。この複合プリンタ装置は、外側の筐体として、ボトムハウジング１１およびトップハウジング１６を備える。トップハウジング１６は、上部に配置された蓋部材２０を含む。蓋部材２０には、ガラス板１２が固定されている。
【０００６】
ボトムハウジング１１の前面には、印刷された用紙を排出するための排紙口１４が形成されている。排紙口１４には、排出された用紙などの被印刷物を一時的に配置しておくための用紙トレイ１３が配置されている。トップハウジング１６の上側には、可動カバー２１が配置されている。可動カバー２１は、複合プリンタ装置の後側に回動軸を有し、回動可能に形成されている。
【０００７】
トップハウジング１６において、可動カバー２１を閉じたときの可動カバー２１の側方には、操作部４１が形成されている。操作部４１には、押しボタンなどが形成されている。トップハウジング１６において、可動カバー２１を閉じたときの可動カバー２１の側方には、操作状況、稼動状況、または印刷を行なう画像などを表示するための液晶表示パネル４０が配置されている。液晶表示パネル４０は、筐体の外側に配置されている。
【０００８】
特開平８−１１３８８号公報においては、機器本体前面に操作部を傾斜させて突設し、操作部の内部の空間に、液晶モジュール基板、操作入力基盤および板金を一体的に取付けた電子機器が開示されている。この電子機器によれば、操作部の操作性に優れ、機器本体の設置スペースに影響を及ぼすことなく、電子機器の小型化および縦置化を可能にすることができると開示されている。
【０００９】
特開２００３−２０９６４６号公報においては、プリンタ、スキャナ、ＣＤ−Ｒレコーダおよびプロジェクタが支持軸により回動可能に軸支されるとともに、上下方向に重なるように配置された複合機が開示されている。プロジェクタは、スクリーンおよび投影レンズを含む。プロジェクタは、スクリーンを筐体から取出して、投影レンズにより投影することにより画像を表示するように形成されている。この複合機によれば、コンピュータに接続されるデータの入力装置や出力装置が数多く存在しても、場所をとらずに、これらを設置することができると開示されている。
【００１０】
また、特開２００３−３０５９１８号公報においては、所定の画像処理を実行させる際の操作入力や処理状況の表示を行なう表示部を具備して、操作部の形状がほぼ長方形であって、操作部の長尺方向の一端に軸が設けられ、この軸によって操作部がほぼ水平面内で回転自在に設けられた画像処理装置が開示されている。この画像処理装置によれば、車椅子を利用する非健康者でも、画像処理装置を利用する際に、操作部を容易に操作できると開示されている。
【特許文献１】特開平８−１１３８８号公報
【特許文献２】特開２００３−２０９６４６号公報
【特許文献３】特開２００３−３０５９１８号公報
【発明の開示】
【発明が解決しようとする課題】
【００１１】
複合プリンタ装置は、１つの装置で、原稿を複写したり、スキャナ機能によって原稿の画像などを電子データにすることができたりするなどの利便性を有する。しかしながら、複合プリンタ装置は、多くの機能を有するために、大型になってしまうという問題がある。
【００１２】
図７に示す従来の技術における複合プリンタ装置は、複写機能およびスキャナ機能を有する。ガラス板は原稿の載置台となるため、ガラス板の小型化には制約がある。たとえば、Ａ４サイズの原稿が読取り可能な複合プリンタ装置においては、ガラス板をＡ４サイズよりも小さくすることはできない。しかしながら、図７に示す従来の技術における複合プリンタ装置は、可動カバー２１の側方に操作部４１および液晶表示パネル４０が配置され、複合プリンタ装置が幅方向に大きくなってしまっていた。
【００１３】
本発明は、小型の複合プリンタ装置を提供することを目的とする。
【課題を解決するための手段】
【００１４】
本発明に基づく複合プリンタ装置は、原稿読取りセンサを備える。上記原稿読取りセンサを移動可能に支持するためのシャフトを備える。上記原稿読取りセンサの上側に配置され、原稿を載置するためのガラス板を備える。上記ガラス板および上記シャフトを支持するためのトップハウジングを備える。上記トップハウジングに支持部材を介して支持された液晶表示パネルを備える。上記液晶表示パネルは、板状に形成されている。上記トップハウジングは、上記液晶表示パネルを略水平な状態で収容可能に形成された収容部を有する。上記収容部は、上記原稿読取りセンサの移動経路の下側に配置されている。上記収容部は、外部と連通するように配置されている。上記支持部材は、上記収容部に対して上記液晶表示パネルの出し入れが可能に形成されている。上記支持部材は、上記液晶表示パネルを出したときに、上記液晶表示パネルが上部の幅方向を軸に回動して、表示面が略前側を向くように形成されている。
【００１５】
本発明に基づく複合プリンタ装置は、筐体を備える。上記筐体の内部に配置された原稿読取りセンサを備える。上記複合プリンタ装置は、表示パネルを備える。上記筐体は、上記表示パネルを内部に収容するための収容部を有する。上記収容部は、上記原稿読取りセンサの移動経路の下側に配置されている。上記収容部は、外部と連通するように配置されている。上記表示パネルは、支持部材を介して上記筐体に支持されている。上記支持部材は、上記収容部に対して上記液晶表示パネルの出し入れが可能に形成されている。
【００１６】
上記発明において好ましくは、上記表示パネルは、上記複合プリンタ装置の操作を行なうための操作部を有する。
【００１７】
上記発明において好ましくは、上記表示パネルは、タッチパネル方式が採用されている。上記表示パネルは、上記複合プリンタ装置を駆動するための信号を発信可能に形成されている。
【発明の効果】
【００１８】
本発明によれば、小型の複合プリンタ装置を提供することができる。
【発明を実施するための最良の形態】
【００１９】
図１から図６を参照して、本発明に基づく実施の形態における複合プリンタ装置について説明する。
【００２０】
図１は、本実施の形態における複合プリンタ装置の概略斜視図である。本実施の形態における複合プリンタ装置は、原稿を読取って電子データを作成するスキャナ機能、原稿を複写する機能、受信した電子データを印刷する機能、およびメモリカードに記録された電子データを印刷する機能を有する。
【００２１】
本実施の形態における複合プリンタ装置は、筐体として、ボトムハウジング１１およびトップハウジング１６を備える。トップハウジング１６は、ボトムハウジング１１の上側に配置されている。トップハウジング１６は、後述する枠部材と、枠部材の上側に枠部材を覆うように形成された蓋部材２０を含む。
【００２２】
ボトムハウジング１１の前面には、印刷された用紙を排出するための排紙口１４が形成されている。排紙口１４には、排出された用紙などの被印刷物を一時的に配置しておくための用紙トレイ１３が配置されている。トップハウジング１６の前面には、画像データなどの電子データの保存が可能なメモリカードを挿入するためのカード挿入口１５が形成されている。
【００２３】
蓋部材２０の上面には、平面形状が四角形の開口が形成されている。この開口には、透明部材としてのガラス板１２が配置されている。ガラス板１２は、蓋部材２０に固定されている。ガラス板１２は、原稿を配置するための原稿載置台として形成されている。原稿は、文字や画像を読取る面がガラス板１２に向かうように載置される。
【００２４】
トップハウジング１６の上側には、可動カバー２１が配置されている。可動カバー２１は、複合プリンタ装置の後側に回動軸を有し、回動可能に形成されている。回動軸は、複合プリンタ装置の幅方向に延びるように配置されている。可動カバー２１は、平板状の原稿押え部２３と平板状のリッド２２とを含む。リッド２２は、プラスチック樹脂などの硬質の材料で形成されている。原稿押え部２３は、スポンジなどの軟質の材料で形成されている。
【００２５】
蓋部材２０は、ガラス板１２を支持する部分の端部に、ガラス板１２の表面に対して段差を有するように形成された段差部２４を含む。段差部２４は、平面形状の四角形の１つの角に基準コーナ部１９を有する。本実施の形態においては、ガラス板１２の後側に基準コーナ部１９が設定されている。基準コーナ部１９は、ガラス板１２における原稿の位置を定めるためのコーナ部である。使用者は、基準コーナ部１９に原稿の角が当接するように原稿を配置する。
【００２６】
本実施の形態におけるトップハウジング１６の蓋部材２０には、操作部１８が配置されている。操作部１８は、複数の操作ボタンなどを含む。操作部１８は、蓋部材２０の上面の段差部２４の側方に配置されている。本実施の形態においては、操作部がトップハウジングの上面に配置されているが、この形態に限られず、操作部は任意の位置に配置することができる。たとえば、操作部が、トップハウジングの前面に配置されていても構わない。
【００２７】
本実施の形態におけるトップハウジング１６の前面には、パネル挿入口８が形成されている。パネル挿入口８には、表示パネルとしての液晶表示パネル４が収納されている。液晶表示パネル４の端面には、液晶表示パネル４を移動するときに、指で摘むことができるように突起部１０が形成されている。突起部１０は、液晶表示パネル４の端面から飛び出すように形成されている。
【００２８】
図２に、本実施の形態における複合プリンタ装置の可動カバーおよびトップハウジングの蓋部材を取外したときの概略斜視図を示す。蓋部材とともにガラス板も取外される。トップハウジングは、枠部材１７を含む。枠部材１７は、上面が開口した有底の箱型になるように形成されている。枠部材１７は、箱型の底に配置された平板部１７ａを有する。本実施の形態におけるトップハウジングは、蓋部材と枠部材とによって、内部が閉じた空間になるように形成されている。
【００２９】
枠部材１７の内側には、原稿読取りセンサ１が配置されている。原稿読取りセンサ１は、ガラス板の下側に配置される。本実施の形態における原稿読取りセンサ１は、ＣＩＳを含む。原稿読取りセンサ１は、長手方向を有する。本実施の形態においては、原稿読取りセンサ１の長手方向が、複合プリンタ装置の奥行き方向と略平行に配置されている。
【００３０】
原稿読取りセンサ１は、フレーム２とスペーサ３とを含む。フレーム２には、レンズや光源などが配置されている。スペーサ３は、ガラス板と当接する。スペーサ３は、ガラス板とフレーム２との距離を一定に保つように形成されている。
【００３１】
枠部材１７の内側には、複合プリンタ装置の幅方向に延びる窪み部２５が形成されている。窪み部２５は、枠部材１７の平板部１７ａに形成されている。窪み部２５の内側には、シャフト２６が配置されている。シャフト２６は、円柱状に形成されている。シャフト２６は、長手方向を有し、この長手方向が複合プリンタ装置の幅方向と略平行になるように配置されている。シャフト２６は、枠部材１７の奥行き方向のほぼ中央に配置されている。
【００３２】
原稿読取りセンサ１は、シャフトベアリング３２を介してシャフト２６に支持されている。原稿読取りセンサ１は、矢印５１に示すように、複合プリンタ装置の幅方向に移動可能に支持されている。シャフトベアリング３２は、原稿読取りセンサ１の長手方向のほぼ中央に配置されている。シャフトベアリング３２は、シャフト２６の延びる方向に沿って移動するように形成されている。
【００３３】
窪み部２５の内側には、ベルト２７が配置されている。ベルト２７は、プーリ２９によって、閉じた環状に配置されている。ベルト２７は、モータ２８が駆動することにより、回転可能に配置されている。シャフトベアリング３２は、ベルト２７に固定されている。本実施の形態においては、モータ２８が駆動することによりベルト２７が回転する。回転するベルト２７に伴って、原稿読取りセンサ１が矢印５１に示す方向に平行移動するように形成されている。
【００３４】
原稿読取りセンサ１は、配線３１と電気的に接続されている。配線３１は、帯状に形成されている。枠部材１７の内側には、複合プリンタ装置の幅方向に延びる窪み部３０が形成されている。窪み部３０は、枠部材１７の平板部１７ａに形成されている。窪み部３０は、配線３１が内部に収容できる大きさに形成されている。配線３１は、原稿読取りセンサ１の移動に伴って、窪み部３０の内側に配置されたり、窪み部３０から引き出されたりするように形成されている。原稿読取りセンサ１は、配線３１が接続された状態で移動可能に形成されている。
【００３５】
トップハウジングの枠部材１７の平板部１７ａには、穴部７が形成されている。穴部７は、平板部１７ａの正面から内側に向かって形成されている。穴部７は、複合プリンタ装置の幅方向のほぼ中央に配置されている。穴部７は、シャフト２６の前側に配置されている。穴部７は、平板部１７ａの前側の端部に配置されている。穴部７は、トップハウジング１６の蓋部材２０に形成されたパネル挿入口８に連通するように形成されている。（図１参照）。このように、穴部７は、外部に連通するように配置されている。
【００３６】
本実施の形態における穴部７は、液晶表示パネル４および支持部材５が収容可能なように形成されている。穴部７は、液晶表示パネル４をほぼ水平な状態で収容が可能な収容部として形成されている。穴部７は、液晶表示パネル４を収容したときに、平板部１７ａの上側から液晶表示パネル４が見えないように形成されている。
【００３７】
支持部材５は、矢印５２に示すように、液晶表示パネル４がトップハウジングに対して出し入れ可能に形成されている。支持部材５は、液晶表示パネル４の端部を支持するように形成されている。さらに、支持部材５は、後述するように、液晶表示パネル４を穴部７から引出したときに、液晶表示パネル４を支持する端部の幅方向が軸となって液晶表示パネル４が回動するように形成されている。
【００３８】
液晶表示パネル４および支持部材５は、原稿読取りセンサ１が移動しても原稿読取りセンサ１に接触しないように配置されている。液晶表示パネル４および支持部材５は、穴部７に収容されたときに、原稿読取りセンサ１の移動経路よりも下側に配置されている。
【００３９】
液晶表示パネル４は、板状に形成されている。液晶表示パネル４は、平面形状がほぼ長方形になるように形成されている。液晶表示パネル４は、長手方向が複合プリンタ装置の幅方向とほぼ平行になるように配置されている。液晶表示パネル４は、表示面が上側を向くように収容される。
【００４０】
本実施の形態における液晶表示パネルは、タッチパネル方式が採用されている。液晶表示パネル４は、複合プリンタ装置を駆動する信号を発信可能に形成されている。本実施の形態における液晶表示パネル４は、複合プリンタ装置の稼動状況や操作状況などを表示するように形成されている。
【００４１】
図３に、本実施の形態における複合プリンタ装置の液晶表示パネルを引出すときの第１工程を説明する概略斜視図を示す。図１および図３を参照して、本実施の形態における複合プリンタ装置を使用するときには、矢印５３に示すように、液晶表示パネル４をトップハウジング１６のパネル挿入口８から引出す。
【００４２】
図４に、本実施の形態における複合プリンタ装置の液晶表示パネルを引出すときの第２工程を説明する概略斜視図を示す。図５に、液晶表示パネルを引出したときの液晶表示パネルの部分の拡大概略斜視図を示す。液晶表示パネル４を引出した後に、矢印５４に示すように、液晶表示パネルを傾ける。支持部材５は、液晶表示パネル４の表示面が略前側を向いた状態で液晶表示パネル４の回動が停止するように形成されている。液晶表示パネル４の表示面が前側を向くことによって、液晶表示パネルが見易くなる。
【００４３】
さらに、本実施の形態における液晶表示パネルは、タッチパネル方式が採用されているため、表示面を押すことによって複合プリンタ装置を操作することができ、操作性が向上する。また、可動カバーを閉じた状態でも、複合プリンタ装置の操作を行なうことができる。
【００４４】
または、本実施の形態における複合プリンタ装置は、蓋部材２０の上面に配置された操作部１８を操作することにより、複合プリンタ装置を操作する。このときには、液晶表示パネル４の表示を見ながら操作部１８を操作することができる。
【００４５】
このように、本実施の形態における複合プリンタ装置は、原稿読取りセンサが内部に配置されたトップハウジングを備え、表示パネルがトップハウジングに出し入れ可能に形成されている。本実施の形態においては、原稿読取りセンサが収容された筐体に既存する空間に液晶表示パネルを収容することができ、複合プリンタ装置を小型にすることができる。たとえば、図７に示した従来の技術に基づく複合プリンタ装置よりも幅方向の長さを短くすることができる。また、表示パネルを前側に配置することができ、表示パネルがより見易くなる。
【００４６】
複合プリンタ装置を使用しない場合や、複合プリンタ装置を搬送する場合においては、表示パネルを引出す操作と逆の操作を行なって液晶表示パネルを筐体に収納する。
【００４７】
本実施の形態における液晶表示パネル４は、トップハウジング１６から露出するように配置される端面に、突起部１０が形成されている。突起部１０は、端面から飛び出すように形成されている。液晶表示パネル４を引出すときには、突起部１０を指でつまんで液晶表示パネル４を引出す。また、液晶表示パネル４を、トップハウジング１６に収容するときには、突起部１０をつまんで液晶表示パネル４を押し入れる。突起部１０を形成することにより、容易に液晶表示パネル４の出し入れを行なうことができる。
【００４８】
図６に、本実施の形態における他の表示パネルを引出したときの概略拡大斜視図を示す。他の表示パネルとしての液晶表示パネル９は、複合プリンタ装置の操作を行なうための操作部３３を有する。操作部３３は、表示部の側方に配置されている。操作部３３は、操作ボタンを含む。このように、操作部は、表示パネルに配置されていても構わない。この構成を採用することにより、筐体の表面から操作部を排除することができる。または、操作部が前側に露出するため、より容易に操作を行なうことができる。
【００４９】
さらに、図１を参照して、本実施の形態における複合プリンタ装置のスキャナ機能を用いるときには、可動カバー２１をガラス板１２に向かって押圧するために、操作部１８が可動カバー２１によって隠れてしまう場合がある。すなわち、スキャナ機能を用いているときには、操作部１８を操作することができなくなる場合がある。しかし、図６に示すように、表示パネルに操作部を配置することにより、どのような稼動状況においても操作部を操作することができる。たとえば、スキャナ機能を用いている途中に次の印刷の予約などを行なうことができる。
【００５０】
本実施の形態における表示パネルは、複合プリンタ装置の幅方向のほぼ中央部分に配置されているが、この形態に限られず、表示パネルは、複合プリンタ装置の内部に収納が可能な筐体の任意の位置に配置することができる。また、本実施の形態においては、収容部として枠部材の平板部に穴部が形成されていたが、この形態に限られず、たとえば、枠部材の平板部の上面に凹部が形成されていても構わない。
【００５１】
上記の実施の形態に係るそれぞれの図面において、同一または相当する部分には、同一の符号を付している。
【００５２】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００５３】
【図１】実施の形態における複合プリンタ装置の第１の概略斜視図である。
【図２】実施の形態における複合プリンタ装置のトップハウジングにおいて、蓋部材を外したときの概略斜視図である。
【図３】実施の形態における複合プリンタ装置の第２の概略斜視図である。
【図４】実施の形態における複合プリンタ装置の第３の概略斜視図である。
【図５】実施の形態における複合プリンタ装置の液晶表示パネルを引出したときの拡大概略斜視図である。
【図６】実施の形態における複合プリンタ装置の他の液晶表示パネルの拡大斜視図である。
【図７】従来の技術に基づく複合プリンタ装置の概略斜視図である。
【符号の説明】
【００５４】
１  原稿読取りセンサ、２  フレーム、３  スペーサ、４，９  液晶表示パネル、５  支持部材、７  穴部、８  パネル挿入口、１０  突起部、１１  ボトムハウジング、１２  ガラス板、１３  用紙トレイ、１４  排紙口、１５  カード挿入口、１６  トップハウジング、１７  枠部材、１７ａ  平板部、１８，３３  操作部、１９  基準コーナ部、２０  蓋部材、２１  可動カバー、２２  リッド、２３  原稿押え部、２４  段差部、２５，３０  窪み部、２６  シャフト、２７  ベルト、２８  モータ、２９  プーリ、３１  配線、３２  シャフトベアリング、４０  液晶表示パネル、４１  操作部、５１〜５３  矢印。
【図１】
2007045063.tif 000003
【図２】
2007045063.tif 000004
【図３】
2007045063.tif 000005
【図４】
2007045063.tif 000006
【図５】
2007045063.tif 000007
【図６】
2007045063.tif 000008
【図７】
2007045063.tif 000009